(57)【要約】【課題】出射光に明暗の差が生じるのを防止し、出射光輝度を均一化する。【解決手段】導光板１０の入射面１１に対向するように複数のＬＥＤ７を配置する。導光板１０の裏面１４側には反射シート１２を配置してある。導光板１０の出射面１３で且つ入射面１１側の近傍には、ＬＥＤ７のカバー部材８を配置してある。また、導光板１０のカバー部材８を配置してない出射面１３には、光拡散部材６，第１の光制御部材４，第２の光制御部材５を順に重ねて配置してある。このうち、反射シート１２の先端１２ａは、入射面１２から所定寸法Ｌ（導光板１０の入射面１１の板厚をｈとし、導光板１０の臨界角をθとすると、ほぼ２ｈ・ｔａｎθ）だけ離して位置させて、入射面１１側の裏面１４には反射シート１２が位置しない領域を形成した。【選択図】図１
2006331834.tif 000002
【特許請求の範囲】
【請求項１】
導光板の側面から前記導光板の内部に入射した点状光源からの光のうちで、前記側面にほぼ直交する前記導光板の出射面の有効発光領域から出射する光を照明光として利用する面光源装置において、
前記導光板の前記出射面に対して反対側に位置する前記導光板の裏面側には、この導光板の裏面に対向するように光反射部材を配置し、
少なくとも前記点状光源側の前記点状光源に対応する所定領域における前記光反射部材の前記点状光源側の先端を前記側面から前記点状光源から遠ざかる方向へ所定寸法だけ離して位置させて、前記側面側の前記裏面には前記光反射部材が位置しない領域を形成した、
ことを特徴とする面光源装置。
【請求項２】
前記所定寸法をＬとし、前記導光板の前記側面の板厚をｈとし、前記導光板の臨界角をθとすると、Ｌをほぼ２ｈ・ｔａｎθにすることを特徴とする請求項１に記載の面光源装置。
【請求項３】
前記所定寸法は、前記裏面の前記有効発光領域に対応する領域よりも僅かに前記側面寄りの位置までの寸法であることを特徴とする請求項１記載の面光源装置。
【請求項４】
前記光反射部材は、その先端側で且つ前記点状光源の発光部に対応する所定領域以外の領域を、前記点状光源の出光面を前記導光板の前記側面に対して平行に延長した仮想線よりも、前記有効発光領域から遠ざかる方向に延ばしたことを特徴とする請求項１に記載の面光源装置。
【請求項５】
前記導光板の前記裏面側で、且つ、前記光反射部材が配置されていない領域には、前記光反射部材よりも光反射率が低い部材を配置したことを特徴とする請求項１乃至４のいずれかに記載の面光源装置。
【請求項６】
前記導光板の前記裏面側で、且つ、前記光反射部材が配置されていない領域には、遮光部材を配置したことを特徴とする請求項１乃至４のいずれかに記載の面光源装置。
【請求項７】
前記請求項１乃至６のいずれかに記載の面光源装置と、この面光源装置によって面状に照明される表示部材と、を備えたことを特徴とする表示装置。
【発明の詳細な説明】
【技術分野】
【０００１】
この発明は、液晶表示パネル等の表示部材を面状に照明する面光源装置及びこの面光源装置を備えた液晶表示装置等の表示装置に関するものである。
【背景技術】
【０００２】
従来から、液晶表示装置のバックライト等として使用されている面光源装置は、導光板の側面（入射面）に１個以上のＬＥＤ（点状光源としての発光ダイオード）を配置し、このＬＥＤからの光を導光板の内部に導入し、この導光板の内部に導入したＬＥＤからの光を導光板の出射面から液晶表示パネルに向けて照射し、液晶表示パネルを面状に照明するようにしたものが開発されている。
【０００３】
このような面光源装置の一例として、図１１に示す面光源装置１は、導光板１０の出射面１３に対し、光拡散部材６と光制御部材としての２枚のプリズムシート４，５とを順に重ねて配置し、出射光を出射面１３の法線方向寄りに集光するようになっている。このようにすることにより、導光板１０の出射面１３に対向するように配置された表示部材３としての液晶表示パネルを効率的に照明できるようになっている。
【０００４】
また、このような面光源装置１は、導光板１０の出射面１３で且つ入射面１１近傍にＬＥＤ７の駆動用回路基板８を配置し、前記導光板１０の裏面１４に反射シート１２を配置してある。なお、駆動用回路基板８の前記導光板１０の出射面１３と対向する部分には、反射部材（例えば、銀シート）が貼ってある。導光板１０の出射面１３で且つＬＥＤ７の近傍位置から出射する光を駆動用回路基板８に形成されている反射部材で反射して導光板１０の内部に戻し、また、導光板１０の裏面１４から出射する光を反射シート（光反射部材）１２で反射して導光板１０の内部に戻して、ＬＥＤ７からの光を照明に有効に使用するようになっている（特許文献１参照）。
【０００５】
また、図１２に示すように、光源としてＬＥＤを使用せず、光源として線状光源１００を使用する面光源装置１０１も開発されている。この図１２に示す面光源装置１０１は、線状光源１００の周囲を光反射器１０２で囲み、線状光源１００の光を直接又は光反射器１０２で反射して導光板１０３の入射面（光源に対向する端面）１０４に向けるようになっている。また、この図１２に示す面光源装置１０１の導光板１０３の出射面１０５側には、光を拡散・透過する光拡散部材１０６と、導光板１０３の入射面１０４に平行な方向に延びるプリズム突起１０７を多数連続して形成してある光制御部材１０８と、を順に重ねて配置してある。そして、この面光源装置１０１は、線状光源１００からの光を導光板１０３の入射面１０４から導光板１０３の内部に入射させ、その入射した光のうちで導光板１０３の出射面１０５から出射する光を光拡散部材１０６で拡散し、その光拡散部材１０６から出射した光を光制御部材１０８で導光板１０３の出射面１０５の法線方向寄りに偏向し、導光板１０３の出射面１０５の法線方向寄りの光の輝度を高めるようになっている（特許文献２参照）。
【０００６】
【特許文献１】特開２００２−２２９０２２号公報
【特許文献２】特許第３５００７２６号公報。
【発明の開示】
【発明が解決しようとする課題】
【０００７】
しかしながら、図１１に示したような面光源装置１は、導光板１０の出射面１３で且つ入射面１１の近傍にＬＥＤ７の駆動用回路基板８を配置し、導光板１０の裏面１４に反射シート１２を配置してあるため、駆動用回路基板８によって反射された光が導光板１０の入射面１１と出射面１３とが交わる端縁（入射面１１側上端縁１７）の近傍から導光板１０の内部に入射したり、また、反射シート１２によって反射された光が導光板１０の入射面１１と裏面１４とが交わる端縁（入射面１１側下端縁１８）の近傍から導光板１０の内部に入射することがある（図７参照）。
【０００８】
これら上端縁１７及び下端縁１８の近傍から導光板１０の内部に入射した光は、導光板１０の入射面１１寄りの出射面１３から多く出射しやすく、出射面１３の法線方向から見た場合には略楕円形状の明部２０として観察され（図８（ａ），（ｂ）参照）、また、出射面１３の法線方向に対して斜めの方向から見た場合には明部２０や光の帯状の輝部領域２１として観察者に視認され（図８（ｃ），（ｄ）参照）、出射光の輝度の均一化を損なう場合があった。
【０００９】
また、図１２に示したような面光源装置１０１は、導光板１０３の入射面１０４の上下の端縁（エッジ）部１１０，１１１から入射する光が入射面１０４近傍の出射面１０５から入射面１０４に平行な帯状の輝線として出射し、その輝線が光制御部材１０８のプリズム突起１０７で強調されて出射されるのを防止するため、光制御部材１０８の線状光源側端縁を光拡散部材１０６の線状光源側端縁よりも線状光源１００から遠ざかる方向に所定寸法Ｌｘ（例えば、１．５ｍｍ以上、好ましくは２ｍｍ以上）ずらすようになっているが、このような構成であっても、導光板１０３の板厚によっては輝線発生防止の効果が不十分であった。また、とりわけ、光源が線状光源１００ではなくＬＥＤ等の点状光源を用いたものである場合には、単にこの図１２に示すような対処を行っても、導光板１０３の板厚によっては、図１１の面光源装置１で問題となっている明部や帯状の輝部領域を解消することが困難であるというのが実状であった。
【００１０】
そこで、本発明は、導光板の板厚に関わらず、ＬＥＤ等の点状光源を光源として使用した面光源装置の出射光輝度の均一化を図り、高品質の面状照明を可能にすることを目的としている。
【課題を解決するための手段】
【００１１】
請求項１の発明に係る面光源装置は、導光板の側面から前記導光板の内部に入射した点状光源からの光のうちで、前記側面にほぼ直交する前記導光板の出射面の有効発光領域から出射する光を照明光として利用するようになっている。この面光源装置において、前記導光板の前記出射面に対して反対側に位置する前記導光板の裏面側には、この導光板の裏面に対向するように光反射部材を配置してある。そして、少なくとも前記点状光源側の前記点状光源に対応する所定領域における前記光反射部材の前記点状光源側の先端を前記側面から前記点状光源から遠ざかる方向へ所定寸法だけ離して位置させて、前記側面側の前記裏面には前記光反射部材が位置しない領域を形成したことを特徴としている。
【００１２】
請求項２の発明に係る面光源装置は、請求項１の発明において、前記所定寸法をＬとし、前記導光板の前記側面の板厚をｈとし、前記導光板の臨界角をθとすると、Ｌをほぼ２ｈ・ｔａｎθにすることを特徴としている。
【００１３】
請求項３の発明に係る面光源装置は、請求項１の発明の前記所定寸法に特徴を有している。すなわち、請求項１の発明の前記所定寸法は、前記裏面の前記有効発光領域に対応する領域よりも僅かに前記側面寄りの位置までの寸法である。
【００１４】
請求項４の発明に係る面光源装置は、請求項１の発明の前記光反射部材に特徴を有している。すなわち、請求項１の発明の前記光反射部材は、その先端側で且つ前記点状光源の発光部に対応する所定領域以外の領域を、前記点状光源の出光面を前記導光板の前記側面に対して平行に延長した仮想線よりも、前記有効発光領域から遠ざかる方向に延ばしてある。
【００１５】
請求項５の発明に係る面光源装置は、請求項１乃至４のいずれかの発明において、前記導光板の前記裏面側で、且つ、前記光反射部材が配置されていない領域には、前記光反射部材よりも光反射率が低い部材を配置したことを特徴としている。
【００１６】
請求項６の発明に係る面光源装置は、請求項１乃至４のいずれかの発明において、前記導光板の前記裏面側で、且つ、前記光反射部材が配置されていない領域には、遮光部材を配置したことを特徴としている。
【００１７】
請求項７の発明に係る表示装置は、請求項１乃至６のいずれかの発明に係る面光源装置と、この面光源装置によって面状に照明される表示部材と、を備えたことを特徴としている。
【発明の効果】
【００１８】
請求項１の発明によれば、導光板の裏面側に配置する光反射部材の点状光源側の少なくとも点状光源に対応する所定領域の先端を、導光板の光入射面となる側面から所定寸法だけ前記点状光源から遠ざかる方向にずらして配置し、導光板の側面近傍に光反射部材が位置しない領域を形成するようになっているため、導光板の側面近傍において、光反射部材によって導光板の内部に戻される光を少なくすることができる。その結果、本発明は、導光板の出射面の法線方向から観察した場合、導光板の板厚の大小にかかわらず、略楕円形状の明部を目立ちにくくすることができ、法線方向に対して斜めの方向から観察した場合、略楕円形状の明部を目立ちにくくすることができると共に、帯状の輝部領域の発生を防止でき、照明光の輝度の均一化を図ることができる。
【００１９】
また、請求項２の発明によれば、導光板の物性によって定まる所定寸法Ｌを２ｈ・ｔａｎθとすることにより、光反射部材を配置しない領域を無駄に広げなくて済み、有効出射光領域を可能な限り広げることができる。
【００２０】
また、請求項３の発明によれば、光反射部材の光源側端縁が面光源装置の発光面側から視認されるようになことがなく、照明品質が向上する。
【００２１】
また、請求項４の発明によれば、点状光源の周囲で且つ光が導かれにくい領域に対し、点状光源からの光を光反射部材によって反射することが可能になるため、出射光輝度をより一層効果的に均一化することが可能になる。
【００２２】
また、請求項５の発明によれば、導光板の裏面側で且つ光反射部材が配置されない領域に光反射率が低い部材を配置し、明部や帯状の輝部領域といった不具合の原因となる光の一部を光反射率が低い部材で吸収するようになっているため、導光板の板厚に関わらず、導光板の出射面の法線方向及び法線方向に対して斜めの方向から観察した場合、略楕円形状の明部及び帯状の輝部領域の発生を防止でき、照明光の輝度の均一化を図ることができる。
【００２３】
また、請求項６の発明によれば、導光板の裏面側で且つ光反射部材が配置されない領域に遮光部材を配置し、明部や帯状の輝部領域といった不具合の原因となる光の多くを遮光部材で吸収するようになっているため、導光板の板厚に関わらず、導光板の出射面の法線方向及び法線方向に対して斜めの方向から観察した場合に、略楕円形状の明部及び帯状の輝部領域の発生を請求項５の発明よりも一層効果的に防止でき、照明光の輝度の更なる均一化を図ることができる。
【００２４】
また、請求項７の発明に係る画像表示装置によれば、上記のような請求項１乃至６のいずれかの発明に係る面光源装置を備えているため、高品質の面状照明及び高品質の画像表示が可能になる。
【発明を実施するための最良の形態】
【００２５】
以下、本発明の実施の形態を図面に基づき詳述する。
【００２６】
［第１実施形態］
図１乃至図５は、本発明の第１実施形態に係る面光源装置１及びこの面光源装置１を備えた表示装置２を示すものである。このうち、図１は表示装置２を分解して模式的に示す外観斜視図であり、図２は表示装置２の平面図である。また、図３は表示装置２の側面図であり、図４は表示装置２の裏面図である。また、図５は、導光板１０の入射面（側面）１１側端部を拡大して示す側面図である。
【００２７】
これらの図に示すように、本実施の形態に係る面光源装置１は、反射シート（光反射部材）１２の上に導光板１０、光拡散部材６、第１乃至第２の光制御部材４，５を順次重ねて配置し、導光板１０の入射面１１に対向するように複数のＬＥＤ（点状光源）７を配置してなっている。また、ＬＥＤ７及び導光板１０の入射面１１側の出射面１３の上には、カバー部材としての駆動用回路基板８が跨って配置されている。そして、この面光源装置１を構成する第２の光制御部材５の上に画像表示パネル（表示部材）３を重ねて配置して表示装置２を構成するようになっている。この表示装置２の画像表示パネル３は、面光源装置１によって面状に照明されることになる。
【００２８】
導光板１０は、ＰＭＭＡ（ポリメタクリル酸メチル）、ＰＣ（ポリカーボネート）、シクロオレフィン系樹脂材料等の光透過性に優れた材料が使用され、薄板状に形成されている（図１参照）。この薄板状の導光板１０は、平面形状が略矩形形状を呈しており（図２参照）、入射面１１に直交し且つ出射面１３に直交する平面によって切断して示す断面形状がほぼ同一の板厚の矩形形状を呈している（図３参照）。また、この導光板１０は、その出射面１３に対して反対側に位置する裏面１４にシボが多数形成され、このシボによって導光板１０の内部を伝搬する光を拡散反射するようになっている。そして、この導光板１０は、その一側面を入射面１１としており、この入射面１１に対向するように点状光源としてのＬＥＤ７を複数配置するようになっている。なお、導光板１０は、この実施形態のような断面形状が矩形形状のものに限らず、入射面１１から遠ざかるにしたがって板厚を漸減する楔形状のものでもよい。また、導光板１０の裏面１４には、シボの代わりに、又はシボと共に、入射面にほぼ直交する方向に延びるプリズム溝を形成するようにしてもよい。また、導光板１０は、その裏面１４にシボを形成する代わりに、又はシボを形成すると共に、その内部に光散乱物質を混入するようにしてもよい。さらに、導光板１０は、その裏面１４を意識的に粗面化しないものを使用してもよい。
【００２９】
図１及び図２に示すように、導光板１０の入射面１１側には、複数のＬＥＤ７がほぼ等間隔で配置されており、このＬＥＤ７から出射された光が入射面１１側から導光板１０内部に入射するようになっている。そして、導光板１０の内部に入射したＬＥＤ７からの光は、導光板１０の内部を伝搬し、導光板１０の入射面１１の上端縁（入射面１１と出射面１３との交わる部分）１７にほぼ直交する出射面１３から出射する。この導光板１０の出射面１３には、画像表示パネル３の発光面（画像表示領域）に合わせて、出射光輝度がほぼ一定範囲内に収まる有効発光領域（図１の斜線領域）１９ａが設定されている。なお、図４において、点線の斜線領域が、導光板１０の裏面１４側における有効発光領域１９ａに対応する領域１９ｂを示している。
【００３０】
また、図１，図３乃至図５に示すように、導光板１０の裏面（図３の下面）１４には、光反射性に優れたＰＥＴ（ポリエチレンテレフタレート）等の樹脂材料で形成された白色の反射シート（光反射部材）１２が配置されている。この反射シート１２は、導光板１０の裏面１４側から出射した光を反射して、その光を再び導光板１０の内部に戻すようになっている。なお、反射シート１２は、ＰＥＴ等の樹脂材料シートに限られず、銀シートや鏡面シートでもよい。
【００３１】
この反射シート１２は、そのＬＥＤ７側の先端が導光板１０の入射面１１から所定寸法Ｌだけずれて位置するように、導光板１０の入射面１１に直交する方向の長さが導光板１０の裏面１４よりも短くなるような四角形状に形成されている。言い換えれば、反射シート１２は、導光板１０の裏面１４の大きさのものを導光板１０の入射面１１の長手方向に沿って所定寸法Ｌの幅で切り取ったような形状になっている。
【００３２】
また、この反射シート１２において、導光板１０の入射面１１の板厚をｈとし、導光板１０の臨界角をθとすると、導光板１０の入射面１１から反射シート１２の先端１２ａまでの所定寸法Ｌは、Ｌ＝２ｈ・ｔａｎθに設定してある。この所定寸法Ｌは、ＬＥＤ７から出射されて入射面１１から導光板１０内に入射した光のうち、入射面１１と裏面１４との交線付近から入射した入射面１１近傍で出射し易い光Ｈ３（入射面１１に対する入射角が最も大きな光であって、出射面１３への入射角θ１が最も小さな光）が、導光板１０の裏面１４側において１回目に反射される位置を考慮して設定したものである（図５（ｅ）参照）。また、導光板１０の入射面１１から反射シート１２の先端１２ａまでの所定寸法Ｌは、反射シート１２の先端１２ａが導光板１０の有効発光領域１９ａに対応する領域１９ｂの入射面側端部と入射面１１との間に位置するような寸法であり、導光板１０の出射面１３側から反射シート１２の先端１２ａが目視されない程度の寸法になっており、反射シート１２の先端１２ａが導光板１０の有効発光領域１９ａに対応する領域１９ｂの入射面側端部から入射面１１側に向かって少なくとも０．５ｍｍ程度ずれて位置するように設定されている。
【００３３】
また、図３に示すように、導光板１０の入射面１１近傍の裏面１４側で、且つ、反射シート１２が配置されていない領域には、反射シート１２よりも低い光反射率の部材（低反射率部材）で形成されるフレーム９が配置されている。このフレーム９は、例えば、反射シート１２及び導光板１０等を収容するフレームであって、反射シート１２よりも光反射率の低い部材（例えば、反射シート１２が銀蒸着シートである場合には、ＰＣ，ＡＢＳ等の樹脂やステンレス，メッキ鋼板等の金属）で形成されたフレームや、低反射率となるような表面処理（例えば、遮光印刷）を施されたフレーム等が対応する。
【００３４】
また、図１乃至図５に示すように、導光板１０の出射面１３側で且つ入射面１１近傍領域には、ＬＥＤ７の駆動用回路基板８が配置されている。このＬＥＤ７の駆動用回路基板８は、導光板１０の出射面１３に対向する面が光反射性に優れており、導光板１０の出射面１３から出射した光を反射して、その反射した光を再度導光板１０の内部に戻すようになっている。なお、本実施の形態において、ＬＥＤ７の駆動用回路基板８の導光板１０に対向する面を、白色の反射面（拡散反射面）、グレー色の反射面（光吸収性を有する反射面）、又は銀色の反射面（鏡面反射面）とし、このような面を備えた駆動用回路基板８をカバー部材としてもよい。また、駆動用回路基板８は、導光板１０の裏面１４側に配置される反射シート１２と一体のものでもよい。また、駆動用回路基板８は、導光板１０の出射面１３に接する態様の他、導光板１０の出射面１３に粘着テープで固定する態様でもよい。
【００３５】
また、導光板１０は、図１乃至図５に示すように、その出射面１３側で且つカバー部材としての駆動用回路基板８が配置されていない部分に、シート状の光拡散部材６が重ねるように配置されている。この光拡散部材６は、光透過性に優れた材料（例えば、ＰＥＴ等）で形成されており、導光板１０の出射面１３から出射した光をランダムに透過拡散させるようになっている。そして、この光拡散部材６のＬＥＤ７側端部は、ＬＥＤ７の駆動用回路基板８に隣接するように位置している。なお、この光拡散部材６の配置状態としては、これ以外にそのＬＥＤ７側の端部を、ＬＥＤ７の駆動用回路基板８に乗り上げるような位置に配置したり、また、ＬＥＤ７の駆動用回路基板８と第１及び第２の光制御部材４，５との間の位置に配置したり、また、第１及び第２の光制御部材４，５のＬＥＤ７側端部と合致する位置に配置してもよい。
【００３６】
また、図１乃至図５に示すように、導光板１０の出射面１３側に重ねるように配置された光拡散部材６の上には、シート状の第１の光制御部材４と第２の光制御部材５とが順次重ねて配置されている。これら第１及び第２の光制御部材４，５は、光透過性に優れた材料（ＰＥＴ等）で形成されており、平面形状がほぼ矩形形状に形成されている。第１の光制御部材４の出射面側には、導光板１０の入射面１１に対してほぼ直交する方向に延びる頂角がほぼ９０°の断面略三角形状のプリズム突起１５が、導光板１０の入射面１１と平行な方向に連続して複数形成されている。また、第２の光制御部材５の出射面側には、第１の光制御部材４のプリズム突起１５とほぼ同様の断面形状のプリズム突起１６が、第１の光制御部材４のプリズム突起１５に対してほぼ直交する方向に延びるように、平行に且つ連続して複数形成されている（特に、図１参照）。
【００３７】
以上のように構成された本実施形態の画像表示装置２は、ＬＥＤ７から出射した光が導光板１０の入射面１１から導光板１０の内部に入射すると共に、ＬＥＤ７からの光Ｈ１，Ｈ２が導光板１０の入射面１１の上端縁１７の近傍又は導光板１０の入射面１１の下端縁（入射面１１と裏面１４との交わる部分）１８の近傍から入射する（図５参照）。
【００３８】
この導光板１０の入射面１１の上・下端縁１７，１８の近傍から入射する光Ｈ１，Ｈ２は、図５に示すように、入射面１１から入射する光よりも、出射面１３に対する入射角が小さいため、導光板１０の入射面１１近傍の出射面１３及び裏面１４から外部に出射しやすい。導光板１０の入射面１１近傍の出射面１３から出射した光は、ＬＥＤ７のカバー部材８で反射されて、再度導光板１０の内部に戻される。一方、導光板１０の入射面１１近傍の裏面１４から出射した光は、低反射率部材で形成されたフレーム９によって一部が吸収され、吸収されなかった分だけフレーム９によって反射されて導光板１０の内部に戻される。このように、導光板１０の入射面１１近傍の出射面１３において異常発光を生じやすい入射面１１の上・下端縁１７，１８から入射した光の一部をフレーム９で吸収することができる。なお、反射シート１２に対向する導光板１０の裏面１４から出射した光については反射シート１２によって反射されて導光板１０の内部に戻され、照明に有効利用される。
【００３９】
導光板１０の有効発光領域１９ａから出射した光は、光拡散部材６によってランダムに拡散された後、第１及び第２光制御部材４，５によって導光板１０の出射面１３の法線方向よりに集められるようになっている。
【００４０】
その結果、導光板１０の出射面１３の法線方向から見た場合には、図６（ａ），（ｂ）に示すように、略楕円形状の明部２０が目立ちにくくなり、出射光の明暗の差が緩和されるため、出射光輝度が均一化する。また、導光板１０の出射面１３の法線方向に対して斜めの方向から見た場合にも、図６（ｃ），（ｄ）に示すように、略楕円形状の明部２０が目立ちにくくなると共に、図８（ｄ）に示すような帯状の輝部領域２１が解消され、出射光の明暗の差が緩和されるため、出射光輝度が均一化する。
【００４１】
これに対して、図７に示す従来のものにおいては、導光板１０の入射面１１近傍の裏面１４に反射シート１２が配置されており、導光板１０の入射面１１の上・下端縁１７，１８の近傍から入射した光Ｈ１，Ｈ２が反射シート１２によって反射されて導光板１０内部に戻されるようになっている。その結果、図７に示すように、導光板１０の入射面１１の上・下端縁１７，１８の近傍から入射した光Ｈ１，Ｈ２は、導光板１０の入射面１１の近傍の出射面１３から出射した後、特に光Ｈ１，Ｈ２の進行方向（入射面１１に直交する方向）にほぼ直交する方向に延びる第２の光制御部材５のプリズム突起１６によって出射面１３の法線方向に向けられることになり（図１１参照）、入射面１１から入射した光とは出射面１３からの出射方向が異なるため、光Ｈ１，Ｈ２に起因する明部２０が強調されることになる（図８参照）。すなわち、このような構成の面光源装置１によれば、入射面１１以外から導光板１０に入射した光Ｈ１，Ｈ２は、導光板１０の出射面１３の法線方向から見た場合には、図８（ａ），（ｂ）に示すように、ほぼ楕円形状の明部２０として観察され、導光板１０の出射面１３の法線方向に対して斜めの方向から見た場合には、図８（ｃ），（ｄ）に示すように、略楕円形状の明部２０と帯状の輝部領域２１として観察者によって視認されることになる。
【００４２】
しかし、本実施の形態に係る面光源装置１は、導光板１０の入射面１１近傍の裏面１４側の所定範囲に反射シート１２を配置しないことにより、特に明部２０及び帯状の輝部領域２１が生じやすい部分から出射する光の量を抑えることができるようになっているため、効果的に明部２０を緩和して目立ちにくくすると共に、帯状の輝部領域２１の発生を防止することができる（図６参照）。
【００４３】
したがって、本実施の形態によれば、出射光輝度を均一化することができ、高品質の面状照明及び高品質の画像表示が可能になる。
【００４４】
また、本実施の形態によれば、明部２０を緩和して目立ちにくくすることができると共に、帯状の輝部領域２１の発生を防止できる分だけ、利用できる出射光面積（有効発光面積）が増大し、光の利用効率が増加する。
【００４５】
なお、本実施の形態は、低反射率部材としてのフレーム９上にＬＥＤ７及び導光板１０を載せて、反射シート１２が位置していない部分に低反射率の部材（フレーム９）を露出させる態様を例示したが、これに限らず、図１０に示すように、少なくとも反射シート１２が位置していない導光板１０の裏面１４側に遮光部材２９を積極的に配置し、より多くの光を遮光部材２９で吸収するようにすれば、明部２０を緩和できると共に帯状の輝部領域２１を生じにくくする効果の更なる向上を期待できる。
【００４６】
ここで、遮光部材２９は、導光板１０に対向する面の光の吸収率がフレーム９よりも高い材料（例えば、ＰＥＴ（黒色））によって形成された、シート部材である。なお、遮光部材２９は、導光板１０等を収容するフレーム９の内面（導光板１０に対向する面）に印刷した黒色や灰色の塗料や、フレーム９の表面に接着した遮光性テープ（例えば、導光板１０の裏面１４に対向する面が黒色のＰＥＴ製テープ）でもよい。
【００４７】
このような構成とすれば、所定領域Ｌの導光板１０の裏面１４から導光板１０外へ出射し、再び導光板１０内へ戻される光の量は、遮光部材２９の反射率に左右されることになるので、フレーム９を形成する材料の反射率を特に考慮する必要がなくなる（反射シート１２よりフレーム９の反射率が高くても良い）。
【００４８】
また、本実施形態において、反射シート１２によって反射されずに、導光板１０の入射面１１と反射シート１２の先端１２ａと間の裏面１４から出射した光を反射シート１２の背面（導光板１０側の面に対して反対側に位置する面）側に配置した他の被照明部材（図示せず）の照明に使用してもよい。このように構成しても、照明品質を低下させる明部２０を緩和できると共に帯状の輝部領域２１を生じにくくすることが可能になる。
【００４９】
［第２実施形態］
また、図９は、本発明の第２実施形態を示すものである。本実施の形態の面光源装置１及びこれを備えた表示装置２は、その基本的構造が上述の第１実施形態と同様であるが、反射シート１２が位置しない領域を各ＬＥＤ７の発光部幅に対応する領域に限定している構成において第１実施形態と相違する。
【００５０】
すなわち、本実施形態において、反射シート１２は、導光板１０の裏面１４側及びＬＥＤ７の駆動回路基板８が配置されている面とは逆側に配置し、ＬＥＤ７の発光部幅とほぼ同一の幅の矩形形状の切り欠き３０を各ＬＥＤ７に対応させて形成してある。
【００５１】
この反射シート１２の切り欠き３０は、そのＬＥＤ７側先端が導光板１０の入射面１１から所定寸法Ｌまで切り込まれており、その切り欠き３０の深さ方向端部１２ａ’が上記第１実施形態の反射シート１２の先端１２ａ（ＬＥＤ側端部位置）に対応している。
【００５２】
このように、本実施形態の反射シート１２は、上記第１実施形態の反射シート１２の先端１２ａ側を、ＬＥＤ７に対向する領域以外の領域では、ＬＥＤ７を囲むように、ＬＥＤ７の出光面７ａを入射面１１に対して平行に延長した仮想線７ａ’よりも有効発光領域から遠ざかる方向に延ばしたようになっている。その結果、ＬＥＤ７から発せられた光のうちで導光板１０の入射面１１近傍の裏面１４から出射した光は、低反射率部材としてのフレーム９によって一部が吸収され、吸収されなかった分だけフレーム９によって反射されて導光板１０の内部に戻される。したがって、本実施形態においても、導光板１０の入射面１１近傍の出射面１４において異常発光を生じやすい入射面１１の上・下端縁１７，１８から入射した光の一部を低反射率部材としてのフレーム９で吸収することができ、上記第１実施形態と同様の効果を得ることができる。
【００５３】
また、本実施形態の反射シート１２は、導光板１０の入射面１１近傍において暗部が生じやすいＬＥＤ７，７間にも位置しているため、導光板１０の暗部が生じやすいＬＥＤ７，７間にＬＥＤ７からの光を供給することができる。したがって、本実施形態によれば、第１実施形態よりもより一層出射光輝度を均一化でき、より一層高品質の照明光を出射することが可能となる。
【００５４】
また、本実施形態において、反射シート１２が配置されない切り欠き３０に対応する部分には、低反射率部材としてのフレーム９が露出するようになっているが、これに限られず、反射シート１２の切り欠き３０に遮光部材２９を配置し、光の吸収率や反射率を適宜調整するようにしてもよい（図１０参照）。
【００５５】
［他の実施形態］
なお、上述の各実施形態において、カバー部材８の導光板１０に対向する面に遮光部材を印刷又は接着等したり、カバー部材８と導光板１０の間に遮光部材を配置するようにしてもよい。また、光拡散部材６のＬＥＤ７側端部側で且つ導光板１０の出射面１３に対向する面側に遮光印刷を施したり、また、光拡散部材６のＬＥＤ７側端部と導光板１０との間に図示しない遮光部材（導光板１０の出射面１３に対向する面側が黒色の両面テープ）を配置し、導光板１０の入射面１１近傍から光が画像表示パネル３側に漏れるのを防止し、照明品質及び表示品質を向上するようにしてもよい。
【図面の簡単な説明】
【００５６】
【図１】本発明の第１実施形態に係る面光源装置及びこれを備えた表示装置を分解して模式的に示す外観斜視図である。
【図２】本発明の第１実施形態に係る面光源装置及びこれを備えた表示装置を示す平面図である。
【図３】本発明の第１実施形態に係る面光源装置及びこれを備えた表示装置の側面側断面図であり、図２のＡ−Ａ線に沿って切断して示す断面図である。
【図４】本発明の第１実施形態に係る面光源装置及びこれを備えた表示装置を示す裏面図である。
【図５】本発明の第１実施形態に係る面光源装置及びこれを備えた表示装置を示す図であり、導光板の入射面側端部を拡大して示す側面図である。
【図６】本発明の第１実施形態に係る面光源装置の出射面側の出射光観察状態を示す図である。（ａ）は、出射面の法線方向から観察する状態を模式的に示す面光源装置の側面図であり、（ｂ）は、その観察状態に係る面光源装置の平面図である。また、（ｃ）は、出射面の法線方向に対して斜めの方向から観察する状態を模式的に示す面光源装置の側面図であり、（ｄ）は、その観察状態に係る面光源装置の平面図である。
【図７】従来例に係る面光源装置及びこれを備えた表示装置を示す図であり、導光板の入射面側端部を拡大して示す側面図である。
【図８】図７に示す従来の面光源装置の出射面側の出射光観察状態を示す図である。（ａ）は、出射面の法線方向から観察する状態を模式的に示す面光源装置の側面図であり、（ｂ）は、その観察状態に係る面光源装置の平面図である。また、（ｃ）は、出射面の法線方向に対して斜めの方向から観察する状態を模式的に示す面光源装置の側面図であり、（ｄ）は、その観察状態に係る面光源装置の平面図である。
【図９】本発明の第２実施形態に係る面光源装置及びこれを備えた表示装置を示す裏面図である。
【図１０】本発明の変形例を示す面光源装置及びこれを備えた表示装置の側面側断面図である。
【図１１】第１の従来例に係る面光源装置及びこれを備えた画像表示装置を分解して模式的に示す外観斜視図である。
【図１２】第２の従来例に係る面光源装置を示す図であり、導光板の入射面側端部を拡大して示す側面図である。
【符号の説明】
【００５７】
１……面光源装置、２……表示装置、３……画像表示パネル（表示部材）、４……第１の光制御部材（光制御部材）、５……第２の光制御部材（光制御部材）、６……光拡散部材、７……ＬＥＤ（点状光源）、９……フレーム（遮光部材を配置しない場合は反射シートよりも低反射率の部材）、１０……導光板、１１……入射面（側面）、１２……反射シート（光反射部材）、１３……出射面、１４……裏面、１９ｂ……有効発光領域に対応する領域、２９……遮光部材
【図１】
2006331834.tif 000003
【図２】
2006331834.tif 000004
【図３】
2006331834.tif 000005
【図４】
2006331834.tif 000006
【図５】
2006331834.tif 000007
【図６】
2006331834.tif 000008
【図７】
2006331834.tif 000009
【図８】
2006331834.tif 000010
【図９】
2006331834.tif 000011
【図１０】
2006331834.tif 000012
【図１１】
2006331834.tif 000013
【図１２】
2006331834.tif 000014